【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
自動化されたピペット装置（１００）であって、前記ピペット装置（１００）は、
ピペットヘッド（１０）、および、長手軸（２１）を有し、前記ピペットヘッド（１０）に搭載されたピペットノズル（２０）と、
前記ピペットノズル（２０）の周囲で前記長手軸（２１）に対して同心状に配置され、前記ピペットノズル（２０）を少なくとも部分的に覆う中空のアクチュエータ部材（３０）であって、前記アクチュエータ部材（３０）および前記ピペットノズル（２０）が前記長手軸（２１）に沿って互いに対して移動可能であるように、前記ピペットヘッド（１０）または前記ピペットノズル（２０）に移動可能に結合された、アクチュエータ部材（３０）と、
前記アクチュエータ部材（３０）の周囲で前記長手軸（２１）に対して同心状に配置され、前記アクチュエータ部材（３０）を少なくとも部分的に覆う中空の接触部材（４０）と
を備え、
前記接触部材（４０）は、前記接触部材（４０）および前記アクチュエータ部材（３０）が前記長手軸（２１）に沿って互いに対して移動可能であるように、前記アクチュエータ部材（３０）に移動可能に結合され、
前記接触部材（４０）は、液体容器（１４０）と接触するための接触リム（４１）を備え、前記アクチュエータ部材（３０）は、前記接触部材（４０）が前記液体容器（１４０）と接触し、前記アクチュエータ部材（３０）および前記接触部材（４０）が互いに対して移動する際に、前記液体容器（１４０）の蓋（１３０）を開放するためのアクチュエータリム（３１）を含むことで、前記ピペットノズル（２０）および前記アクチュエータ部材（３０）が互いに対して移動する際に、前記ピペットノズル（２０）用の前記蓋（１３０）を貫通する非接触通路（１２０）を生成する、ピペット装置（１００）。
【請求項２】
前記接触部材（４０）および前記アクチュエータ部材（３０）に、互いに対する前記長手軸（２１）に沿った移動限度を設ける、接触部材／アクチュエータ部材停止部（４２）をさらに備えた、請求項１記載のピペット装置（１００）。
【請求項３】
前記接触部材（４０）および前記ピペットノズル（２０）に互いに対し、および／または、前記アクチュエータ部材（３０）および前記ピペットノズル（２０）に互いに対し、前記長手軸（２１）に沿った移動限度を設ける、接触部材／ピペットノズル停止部（４３）、または、ピペットノズル／アクチュエータ部材停止部をさらに備えた、請求項１または２記載のピペット装置（１００）。
【請求項４】
前記接触部材（４０）を前記アクチュエータ部材（３０）に弾性的に結合させるための接触部材弾性要素（５０）と、前記アクチュエータ部材（３０）を前記ピペットノズル（２０）またはピペットヘッド（１０）に弾性的に結合させるためのアクチュエータ部材弾性要素（６０）とをさらに備え、前記アクチュエータ部材弾性要素（６０）は、前記接触部材弾性要素（５０）の弾性力より大きい弾性力を有する、請求項１〜３のいずれか１項に記載のピペット装置（１００）。
【請求項５】
請求項１〜４のいずれか１項に記載の自動化されたピペット装置（１００）と、
底部（１４２）と、上側開口（１４３）と、前記上側開口（１４３）と前記底部（１４２）との間の、液体を受容するための内部空間（１４４）とを含む、長尺体（１４１）を備えた液体容器（１４０）と、
前記ピペット装置（１００）および／または前記液体容器（１４０）を互いに対して移動させるための駆動ユニット（１５０）と、
前記ピペットノズル（２０）を前記液体容器（１４０）に対して所望の位置（１７０）に位置させるように、前記駆動ユニット（１５０）を制御するためのコントローラ（１６０）とを備えた、ピペット装置位置決めシステム（２００）。
【請求項６】
前記液体容器（１４０）は、前記上側開口（１４３）を閉塞するエラストマ製の蓋（１３０）をさらに備え、前記蓋（１３０）は、前記接触部材（４０）と接触されるべき接触面（１３１’）を備えた外側蓋リム（１３１）と、前記外側蓋リム（１３１）に連結された中央部分（１３２）とを備え、前記中央部分（１３２）は、前記アクチュエータ部材（３０）および前記接触部材（４０）が互いに対して移動する際に、前記中央部分（１３２）が前記アクチュエータ部材（３０）によって一時的に開放され得る切断セクション（１３３）を含むことで、前記ピペットノズル（２０）および前記アクチュエータ部材（３０）が互いに対して移動する際に、前記ピペットノズル（２０）用の前記蓋（１３０）を貫通する非接触通路（１２０）を生成する、請求項５記載のピペット装置位置決めシステム（２００）。
【請求項７】
前記切断セクション（１３３）は、前記中央部分（１３２）を少なくとも３つの隣接セグメントに分割し、各セグメント（１３４）は、前記外側蓋リム（１３１）に連結された外側部分（１３５）と、前記外側部分（１３５）と比較して低い高さであって、段差部分（１３７）を介して前記外側部分（１３５）と連結された内側部分（１３６）とを含む、請求項６記載のピペット装置位置決めシステム（２００）。
【請求項８】
各セグメント（１３４）は、前記外側部分（１３５）上に当接要素（１３８）を含む、請求項７記載のピペット装置位置決めシステム（２００）。
【請求項９】
前記外側部分（１３５）または前記外側部分（１３５）上の当接要素（１３８）はそれぞれ、前記アクチュエータ部材（３０）および前記接触部材（４０）が互いに対して移動する際、前記アクチュエータ部材（３０）によって接触されるべきアクチュエータ部材接触面（１３９）を含むことで、前記隣接セグメント（１３４）がさらに互いから離れて分離され得る、請求項７または８記載のピペット装置位置決めシステム（２００）。
【請求項１０】
接触部材／アクチュエータ部材停止部（４２）は、前記接触部材（４０）および前記アクチュエータ部材（３０）が、前記ピペットノズル（２０）用の前記蓋（１３０）を貫通する非接触通路（１２０）を設けるに足りる最小限で、互いに対して移動し得る位置に位置する、請求項５〜９のいずれか１項に記載のピペット装置位置決めシステム（２００）。
【請求項１１】
前記液体容器（１４０）の前記底部（１４２）は、前記長尺体（１４１）の平均断面に対して減少した断面を有するテーパ状または凹状形状を有する、請求項５〜１０のいずれか１項に記載のピペット装置位置決めシステム（２００）。
【請求項１２】
接触部材／ピペットノズル停止部（４３）、または、ピペットノズル／アクチュエータ部材停止部は、前記ピペットノズル（２０）が、前記液体容器（１４０）の前記底部（１４２）からの所定の公差距離範囲内の最下部の位置（１７０）に位置決めされ得る位置に位置する、請求項５〜１１のいずれか１項に記載のピペット装置位置決めシステム（２００）。
【請求項１３】
コントローラ（１６０）は、前記接触部材（４０）が前記液体容器（１４０）に接触する際に、前記接触部材（４０）に対する前記ピペットノズル（２０）の相対位置に基づいて、前記ピペットノズル（２０）を前記液体容器（１４０）の前記底部（１４２）から任意の所望の距離に位置決めするように、前記駆動ユニット（１５０）を制御するように構成される、請求項５〜１２のいずれか１項に記載のピペット装置位置決めシステム（２００）。
【請求項１４】
前記液体容器（１４０）は、前記接触部材（４０）および前記アクチュエータ部材（３０）が互いに対して移動する際に、または、前記アクチュエータ部材（３０）および前記ピペットノズル（２０）が互いに対して移動する際に、破れるように構成されるシール（１４５）をさらに含む、請求項５〜１３のいずれか１項に記載のピペット装置位置決めシステム（２００）。
【請求項１５】
請求項５〜１４のいずれか１項に記載のピペット装置位置決めシステム（２００）を含む、体外診断システム（３００）。
【手続補正２】
【補正対象書類名】明細書
【補正対象項目名】００２５
【補正方法】変更
【補正の内容】
【００２５】
一実施形態によれば、ピペット装置は、接触部材およびアクチュエータ部材に、互いに対する長手軸に沿った移動限度を設ける、接触部材／アクチュエータ部材停止部を含む。
【手続補正３】
【補正対象書類名】明細書
【補正対象項目名】００４４
【補正方法】変更
【補正の内容】
【００４４】
一実施形態によれば、液体容器は、上側開口を閉塞するエラストマ製の蓋をさらに含み、蓋は、接触部材と接触されるべき接触面を備えた外側蓋リムと、外側蓋リムに連結された中央部分とを含み、中央部分は、アクチュエータ部材および接触部材が互いに対して移動する際に、中央部分がアクチュエータ部材によって一時的に開放され得る切断セクションを含むことで、ピペットノズルおよびアクチュエータ部材が互いに対して移動する際に、ピペットノズル用の蓋を貫通する非接触通路を生成する。
【手続補正４】
【補正対象書類名】明細書
【補正対象項目名】００４５
【補正方法】変更
【補正の内容】
【００４５】
一実施形態によれば、切断セクションは、中央部分を少なくとも３つの隣接セグメントに分割し、各セグメントは、外側蓋リムに連結された外側部分と、外側部分と比較して低い高さであって、段差部分を介して外側部分と連結された内側部分とを含む。一実施形態によれば、各セグメントは、外側部分上に当接要素を含む。
【手続補正５】
【補正対象書類名】明細書
【補正対象項目名】００４６
【補正方法】変更
【補正の内容】
【００４６】
一実施形態によれば、外側部分または外側部分上の当接要素はそれぞれ、アクチュエータ部材および接触部材が互いに対して移動する際、アクチュエータ部材によって接触されるべきアクチュエータ部材接触面を含むことで、隣接セグメントがさらに互いから離れて分離され得る。さらに、アクチュエータ部材の当接要素のみへの接触を制限し、アクチュエータ部材の切断セクションとの直接接触を防止することによって、アクチュエータ部材を汚染するおそれが減少される。